(57)【要約】【課題】フラッシュメモリに格納したファイルを、異なるキャリアの携帯電話機を用いた場合でも容易にアクセス可能とする技術を提供する。【解決手段】フラッシュメモリには、オリジナルファイル１０１〜１０３を格納するフォルダと、キャリアＡ、キャリアＢの独自フォルダとが作成される。そして、独自フォルダには、オリジナルファイル１０１〜１０３へのリンク情報をもつエイリアスファイル１０１Ａ〜１０３Ａ、１０１Ｂ〜１０３Ｂが記録される。各キャリアの携帯電話機にフラッシュメモリが装着されることにより、デフォルトのフォルダ内にエイリアスファイルが表示され、ユーザがエイリアスファイルを操作することにより、オリジナルファイルへのアクセスが行われる。【選択図】図２
2007018463.tif 000002
【特許請求の範囲】
【請求項１】
携帯電話機に着脱可能な記憶媒体にファイルを格納する方法であって、
複数の携帯電話キャリアにより供給される携帯電話機において参照されることを可能としたいコンテンツファイルを前記記憶媒体の所定のフォルダに格納する工程と、
前記複数の携帯電話キャリアにおいて前記コンテンツファイルを格納する場合にそれぞれ規定されている独自フォルダを前記記憶媒体に作成する工程と、
前記複数の携帯電話キャリアから供給される携帯電話機が前記コンテンツファイルにアクセスする場合に参照する前記独自フォルダ内に、前記所定のフォルダに格納されている前記コンテンツファイルへのリンクファイルを格納する工程と、
を備えることを特徴とする携帯電話機に着脱可能な記憶媒体に対するファイル格納方法。
【請求項２】
携帯電話機に着脱可能な記憶媒体にファイルを格納する方法であって、
第１コンテンツファイルは、第１の携帯電話キャリアにおいて採用されているファイル形式であり、第２コンテンツファイルは、第２の携帯電話キャリアにおいて採用されているファイル形式であり、前記第１および第２コンテンツファイルは、内容が共通する共通データ部を含んでおり、前記第１および第２コンテンツファイルが、その共通データ部を共用するように前記記憶媒体のＦＡＴに情報を記録した上で前記第１および第２コンテンツファイルを前記記憶媒体の所定のフォルダに格納する第１の工程と、
前記第１および第２の携帯電話キャリアにおいて、前記第１および第２コンテンツファイルを格納する場合にそれぞれ規定されている独自フォルダを前記記憶媒体に作成する第２の工程と、
前記第１の携帯電話キャリアから供給される携帯電話機が前記第１コンテンツファイルにアクセスする場合に参照する前記独自フォルダ内に、前記所定のフォルダに格納されている前記第１コンテンツファイルへのリンクファイルを格納するとともに、前記第２の携帯電話キャリアから供給される携帯電話機が前記第２コンテンツファイルにアクセスする場合に参照する前記独自フォルダ内に、前記所定のフォルダに格納されている前記第２コンテンツファイルへのリンクファイルを格納する第３の工程と、
を備えることを特徴とする携帯電話機に着脱可能な記憶媒体に対するファイル格納方法。
【請求項３】
請求項２に記載の携帯電話機に着脱可能な記憶媒体に対するファイル格納方法であって、
前記第１の工程において、前記第１および第２コンテンツファイルの格納クラスタ位置が記録されるＦＡＴに、ファイルの開始位置では異なるクラスタ位置が指定され、前記共通データ部では共通のクラスタ位置が指定されることを特徴とする携帯電話機に着脱可能な記憶媒体に対するファイル格納方法。
【請求項４】
請求項２または請求項３に記載の携帯電話機に着脱可能な記憶媒体に対するファイル格納方法であって、
前記第１および第２コンテンツファイルは音声データおよび動画データを含むマルチメディアファイルであり、前記第１および第２コンテンツファイルに含まれる音声データあるいは動画データのいずれかのファイル形式が共通する場合に、当該データを前記共通データ部として前記第１の工程を行うことを特徴とする携帯電話機に着脱可能な記憶媒体に対するファイル格納方法。
【発明の詳細な説明】
【技術分野】
【０００１】
本発明は、携帯電話機に装着されるフラッシュメモリなどの記憶媒体に対するファイルの格納技術に関する。
【背景技術】
【０００２】
最近の携帯電話機は、ミニＳＤカードなどの記憶媒体を着脱可能とし、画像や音声ファイルをミニＳＤカードに格納して持ち運ぶことを可能としている。また、携帯電話機が備えるカメラで撮影した画像や動画のファイル、あるいはインターネットからダウンロードした画像、動画、音声ファイルを記憶媒体に格納することが可能である。
【０００３】
そして、一般的に、各携帯電話キャリアは、画像、動画、音声ファイルを格納する際に、記憶媒体内に独自のフォルダを作成し、そのフォルダ内にファイルを格納するようにしている。たとえば、あるキャリアＸは、画像ファイルを保存するフォルダとして「イメージ」というフォルダを作成し、別のキャリアＹは、画像ファイルを保存するフォルダとして「ピクチャ」というフォルダを作成する。このため、キャリアＸから供給される携帯電話機を利用しているユーザが、メニュー操作を行って画像を参照しようとすると、デフォルトのフォルダとして「イメージ」フォルダが参照され、その他のフォルダは参照されない。逆に、キャリアＹから供給される携帯電話機を利用するユーザが、メニュー操作を行って画像を参照しようとすると、「ピクチャ」フォルダが参照され、その他のフォルダは参照されない。
【発明の開示】
【発明が解決しようとする課題】
【０００４】
上述したように、携帯電話の各キャリアは、それぞれのファイルを格納する際に、独自のフォルダを作成するようにしている。このため、キャリアＸの携帯電話機を用いて画像ファイルを記憶媒体に保存しても、キャリアＹの携帯電話機では参照できないという問題がある。もちろん、パソコンなどを利用して、フォルダの構造を操作すれば参照することが可能となるが、キャリアの異なる携帯電話機間で気軽にメモリカードを交換して画像を閲覧したり、音声を視聴したりすることはできない。
【０００５】
本発明は前記問題点に鑑み、メモリカードが、いずれのキャリアの携帯電話機に装着された場合であっても、当該メモリカードに記録されたファイルにユーザが容易にアクセス可能となる技術を提供する。
【課題を解決するための手段】
【０００６】
上記課題を解決するため、請求項１記載の発明は、携帯電話機に着脱可能な記憶媒体にファイルを格納する方法であって、複数の携帯電話キャリアにより供給される携帯電話機において参照されることを可能としたいコンテンツファイルを前記記憶媒体の所定のフォルダに格納する工程と、前記複数の携帯電話キャリアにおいて前記コンテンツファイルを格納する場合にそれぞれ規定されている独自フォルダを前記記憶媒体に作成する工程と、前記複数の携帯電話キャリアから供給される携帯電話機が前記コンテンツファイルにアクセスする場合に参照する前記独自フォルダ内に、前記所定のフォルダに格納されている前記コンテンツファイルへのリンクファイルを格納する工程と、を備えることを特徴とする。
【０００７】
請求項２記載の発明は、携帯電話機に着脱可能な記憶媒体にファイルを格納する方法であって、第１コンテンツファイルは、第１の携帯電話キャリアにおいて採用されているファイル形式であり、第２コンテンツファイルは、第２の携帯電話キャリアにおいて採用されているファイル形式であり、前記第１および第２コンテンツファイルは、内容が共通する共通データ部を含んでおり、前記第１および第２コンテンツファイルが、その共通データ部を共用するように前記記憶媒体のＦＡＴに情報を記録した上で前記第１および第２コンテンツファイルを前記記憶媒体の所定のフォルダに格納する第１の工程と、前記第１および第２の携帯電話キャリアにおいて、前記第１および第２コンテンツファイルを格納する場合にそれぞれ規定されている独自フォルダを前記記憶媒体に作成する第２の工程と、前記第１の携帯電話キャリアから供給される携帯電話機が前記第１コンテンツファイルにアクセスする場合に参照する前記独自フォルダ内に、前記所定のフォルダに格納されている前記第１コンテンツファイルへのリンクファイルを格納するとともに、前記第２の携帯電話キャリアから供給される携帯電話機が前記第２コンテンツファイルにアクセスする場合に参照する前記独自フォルダ内に、前記所定のフォルダに格納されている前記第２コンテンツファイルへのリンクファイルを格納する第３の工程と、を備えることを特徴とする。
【０００８】
請求項３記載の発明は、請求項２に記載の携帯電話機に着脱可能な記憶媒体に対するファイル格納方法であって、前記第１の工程において、前記第１および第２コンテンツファイルの格納クラスタ位置が記録されるＦＡＴに、ファイルの開始位置では異なるクラスタ位置が指定され、前記共通データ部では共通のクラスタ位置が指定されることを特徴とする。
【０００９】
請求項４記載の発明は、請求項２または請求項３に記載の携帯電話機に着脱可能な記憶媒体に対するファイル格納方法であって、前記第１および第２コンテンツファイルは音声データおよび動画データを含むマルチメディアファイルであり、前記第１および第２コンテンツファイルに含まれる音声データあるいは動画データのいずれかのファイル形式が共通する場合に、当該データを前記共通データ部として前記第１の工程を行うことを特徴とする。
【発明の効果】
【００１０】
本発明は、携帯電話機に装着させる記憶媒体へのファイル格納方法に関するものである。この方法は、記憶媒体にファイルの実体を記録するとともに、各携帯電話キャリアで規定されている独自フォルダを作成するとともに、当該独自フォルダ内にファイルの実体へのリンク情報を記録する。
【００１１】
このため、いずれの携帯電話キャリアから供給されている携帯電話機を使用した場合であっても、記憶媒体内のファイルに容易にアクセス可能である。
【００１２】
また、ファイルの実体は１つだけ格納するので、記憶媒体の容量を節約することも可能である。
【発明を実施するための最良の形態】
【００１３】
｛第１の実施の形態｝
以下、図面を参照しつつ本発明の実施の形態について説明する。図１は、実施の形態に係るファイル記録装置１のブロック図である。ファイル記録装置１は、画像入力部１１、音声入力部１２、画像・音声データ記憶部１３、ファイル作成部１４、ファイル記憶部１５、メモリカード書込部１６を備えている。また、ファイル記録装置１のメモリカードスロットにフラッシュメモリ２を着脱可能としている。
【００１４】
画像・音声データ記憶部１３は、画像入力部１１から入力した画像データと、音声入力部１２が入力した音声データを格納する記憶部である。たとえば、画像入力部１１は、ＣＣＤ等の撮像装置に接続されて、撮像装置が出力した画像データを入力し、音声入力部１２は、マイクに接続されて、マイクが出力した音声データを入力する。
【００１５】
ファイル作成部１４は、画像・音声データ記憶部１３に格納されている画像データおよび音声データを用いてマルチメディアファイルを作成する。作成されたマルチメディアファイルはファイル記憶部１５に記憶される。ここで、マルチメディアファイルとは、動画と音声からなるいわゆるムービーファイルである。たとえば、ＮＴＴドコモ社製の携帯電話機であればi-motion ASFといったフォーマット形式のファイルであり、ＫＤＤＩ社であればファイル形式はＡＭＣであり、ボーダフォン社であればNancyといったファイル形式のマルチメディアファイルが存在する。また、各社とも３Ｇ携帯電話機の標準である３ＧＰＰあるいは３ＧＰＰ２に準拠したファイル形式のマルチメディアファイルに対応している。
【００１６】
また、ファイル作成部１４は、画像ファイル（以降、単に画像ファイルというときは、静止画像ファイルを示すものとする。）や音声ファイルを作成する機能も備えており、これらのファイルも、ファイル記憶部１５に格納される。
【００１７】
ファイル記憶部１５に格納されているマルチメディアファイル、画像ファイル、音声ファイルは、メモリカード書込部１６によってフラッシュメモリ２に記録される。なお、マルチメディアファイル、画像ファイル、音声ファイルは、上述したように、画像入力部１１および音声入力部１２により入力したデータに基づいてファイル作成部１４により生成されるファイルであってもよいし、たとえば、インターネットからダウンロードしたファイルであってもよいし、他の記録媒体を介して取得したものであってもよい。
【００１８】
このようにして、マルチメディアファイル、画像ファイル、音声ファイルが記録されたフラッシュメモリ２は、各携帯電話キャリアから供給される携帯電話機のメモリカードスロットに装着される。図１では、３つのキャリアＡ、Ｂ、Ｃから供給される３種類の携帯電話機３Ａ、３Ｂ、３Ｃにフラッシュメモリ２が装着される様子を示している。本実施の形態においては、メモリカード書込部１６が後述する本発明に特徴的な処理を実行することにより、このフラッシュメモリ２に格納されたマルチメディアファイル、画像ファイル、音声ファイルは、いずれの携帯電話機３Ａ、３Ｂ、３Ｃにおいても、容易にアクセス可能となる。
【００１９】
図２は、メモリカード書込部１６により、フラッシュメモリ２に書き込まれるフォルダの構造とファイルの種別を示す図である。メモリカード書込部１６は、フラッシュメモリ２に対して次のような処理を行う。
（Ｐ１）  オリジナルファイルを格納するフォルダの作成。
（Ｐ２）  （Ｐ１）で作成したフォルダに対するオリジナルファイルの記録。
（Ｐ３）  キャリアごとの独自フォルダの作成。
（Ｐ４）  独自フォルダに対するエイリアスファイルの記録。
【００２０】
まず、（Ｐ１）、（Ｐ２）の処理について説明する。メモリカード書込部１６は、まず、マルチメディアファイルの実体であるオリジナルファイルを書き込むためのフォルダを作成し、そのフォルダ内にオリジナルファイルを記録する。たとえば、図２で示した例であれば、オリジナルファイルの格納フォルダとして、「root」フォルダの下に、「Movie」、「Sound」、「Image」という３つのフォルダを作成する。
【００２１】
そして、「Movie」フォルダには、オリジナルファイル１０１が記録される。オリジナルファイル１０１は、動画と音声からなるマルチメディアファイルの実体である。「Sound」フォルダには、オリジナルファイル１０２が記録される。オリジナルファイル１０２は、音声ファイルの実体である。「Image」フォルダには、オリジナルファイル１０３が記録される。オリジナルファイル１０３は、画像ファイルの実体である。このように、（Ｐ１）、（Ｐ２）の処理では、実体ファイルを記録するフォルダの作成と、そのフォルダに対する実体ファイルの記録が行われる。このフォルダは、携帯電話キャリアで規定されている独自フォルダとは異なるので、一般には、各携帯電話キャリアから供給される携帯電話機を用いて、（Ｐ１）、（Ｐ２）の処理で記録されるファイルをダイレクトに参照することはできない。
【００２２】
次に、（Ｐ３）、（Ｐ４）の処理について説明する。メモリカード書込部１６は、各携帯電話キャリアで規定されている独自フォルダを作成する。この独自フォルダとは、各携帯電話キャリアの携帯電話機を用いて各種のデータファイルを保存した場合に、それらデータファイルがデフォルトで格納されるフォルダである。図２で示した例であれば、キャリアＡの独自フォルダとして、まず、「root」フォルダの下に「Career＿A」というフォルダが作成され、この「Career＿A」フォルダの下に、「Mov＿data」、「Sound＿data」、「Img＿data」という３つのフォルダが作成されている。フォルダ「Mov＿data」、「Sound＿data」、「Img＿data」は、それぞれ、キャリアＡの携帯電話機において、マルチメディアファイル、音声ファイル、画像ファイルを格納するデフォルトのフォルダである。同様に、「root」フォルダの下に「Career＿B」というフォルダが作成され、この「Career＿B」フォルダの下に、「Mov」、「Music」、「Img」という３つのフォルダが作成されている。フォルダ「Mov」、「Music」、「Img」は、それぞれ、キャリアＢの携帯電話機において、マルチメディアファイル、音声ファイル、画像ファイルを格納するデフォルトのフォルダである。
【００２３】
そして、メモリカード書込部１６は、フォルダ「Mov＿data」に対して、オリジナルファイル１０１へのリンク情報を持ったエイリアスファイル１０１Ａを記録し、フォルダ「Sound＿data」に対して、オリジナルファイル１０２へのリンク情報を持ったエイリアスファイル１０２Ａを記録し、フォルダ「Img＿data」に対して、オリジナルファイル１０３へのリンク情報を持ったエイリアスファイル１０３Ａを記録する。エイリアスファイル１０１Ａ、１０２Ａ、１０３Ａは、オリジナルファイルへのリンク情報だけをもち、実データ部分を持たないファイルであるので、非常にデータサイズの小さいファイルである。ユーザにより、これらエイリアスファイルへのアクセスが行われると、システムの機能によりオリジナルファイルへのアクセスが行われるのである。このエイリアスファイルは、Windows（登録商標）であればショートカットファイル、UNIX（登録商標）であればシンボリックリンクファイルなどと同様の機能を持ったファイルである。
【００２４】
同様に、メモリカード書込部１６は、フォルダ「Mov」に対して、オリジナルファイル１０１へのリンク情報を持ったエイリアスファイル１０１Ｂを記録し、フォルダ「Music」に対して、オリジナルファイル１０２へのリンク情報を持ったエイリアスファイル１０２Ｂを記録し、フォルダ「Img」に対して、オリジナルファイル１０３へのリンク情報を持ったエイリアスファイル１０３Ｂを記録する。
【００２５】
メモリカード書込部１６により、以上の書込み処理が行われることにより、たとえば、このフラッシュメモリ２がキャリアＡの携帯電話機３Ａに装着された場合に、ユーザは通常の操作を行うことでオリジナルファイル１０１、１０２、１０３にアクセスすることが可能である。具体的には、ユーザが携帯電話機３Ａを用いて、ファイルを参照する操作を行うと、デフォルトで規定されているフォルダ内のファイルが表示されることとなるが、そのフォルダには、エイリアスファイル１０１Ａ、１０２Ａ、１０３Ａが表示されるのである。そして、ユーザは、通常のファイル操作と同様、これらエイリアスファイルを指定した操作を行うことにより、オリジナルファイル１０１〜１０３へのアクセスが行われるのである。同様に、キャリアＢ、キャリアＣの携帯電話機を用いた場合にも、ユーザは、通常のファイルアクセス操作を行うことにより、エイリアスファイルを介してオリジナルファイル１０１〜１０３にアクセスすることが可能である。
【００２６】
このように、本実施の形態によれば、ファイル記録装置１によって、各携帯電話キャリアに対応したフォルダ構造が書き込まれ、このフォルダ内に、オリジナルファイルへのエイリアスファイルが記録されるので、いずれのキャリアの携帯電話機を用いた場合にも、通常と変わらない操作で、各種ファイルにアクセス可能である。したがって、キャリアの異なる携帯電話機を所有している友人との間で、メモリカードを交換した場合にも、交換したメモリカード内に格納されている各種のファイルを容易に参照することが可能である。
【００２７】
また、本実施の形態は、各キャリアの独自フォルダに、それぞれオリジナルファイルを記録する方法とは異なり、共通する１つのオリジナルファイルを記録するだけである。また、独自フォルダに格納されるエイリアスファイルは、リンク情報のみを持つファイルであるので、非常に容量の小さいファイルである。したがって、複数のキャリアの携帯電話機で容易にアクセス可能としながら、かつ、フラッシュメモリ２に格納するファイルのデータ容量が大きくならないよう配慮されている。
【００２８】
｛第２の実施の形態｝
次に、本発明の第２の実施の形態について説明する。第１の実施の形態では、各携帯電話キャリアが、同じフォーマット形式のファイルを採用していることが前提である。これに対して、キャリアによって採用しているファイルのフォーマット形式が異なる場合があるが、第２の実施の形態では、このような場合に対応する。第２の実施の形態においても、図１のファイル記録装置１により各種のファイルをフラッシュメモリ２に記録するものとする。ただし、メモリカード書込部１６における処理が第１の実施の形態とは異なる。
【００２９】
たとえば、図３に示すように、キャリアＡで採用されているマルチメディアファイル２００Ａは、音声データのフォーマットがＸ１形式であり、動画データのフォーマットがＹ１形式であるとする。そして、ファイルの先頭には、キャリアＡ形式のヘッダデータが記録される。一方、キャリアＢで採用されているマルチメディアファイル２００Ｂは、音声データのフォーマット形式がＸ２形式であり、動画データはＹ１形式である。そして、ファイルの先頭には、キャリアＢ形式のヘッダデータが記録される。なお、ヘッダデータは、より確実にファイル形式を識別するために付加する情報である。例えば、動画・音声の圧縮に関する情報、ストリーム数、シーケンス幅・高さ、音声映像の同期情報、サンプリングレートなどの情報が含まれる。
【００３０】
このように、図３で示したマルチメディアファイル２００Ａと２００Ｂに関して、動画データのフォーマットは共通の形式であるが、音声データの形式が異なる。そして、マルチメディアファイルのファイル形式が異なる場合には、両方のキャリアに対応させるためには、異なる２つのファイルを作成し、これらのファイルをフラッシュメモリ２に格納させる必要性が生じる。しかし、この方法をとった場合、各キャリアに対応した複数のファイルを格納しなければならないため、フラッシュメモリ２の容量を多く使用するという問題がある。
【００３１】
そこで、メモリカード書込部１６は、図３で示すマルチメディアファイル２００Ａおよび２００Ｂを、マルチメディアファイル２１０Ａ、２１０Ｂとして、図４に示すようなファイル形式でフラッシュメモリ２に格納する。図４に示すように、メモリカード書込部１６は、ＦＡＴ（File Allocation Tables）ファイルシステムに基づいてマルチメディアファイル２１０Ａ、２１０Ｂを格納するが、通常のＦＡＴファイルシステムでは、これまで用いられていない方法で、これら２つのファイル２１０Ａ、２１０Ｂを記録する。
【００３２】
まず、ＦＡＴ領域には、クラスタのチェーン情報が記録されている。図中、ＦＡＴ領域の１行目は、クラスタ番号０〜２９における次のクラスタ位置情報、２行目は、クラスタ番号３０〜５９における次のクラスタ情報、３行目は、クラスタ番号６０〜８９における次のクラスタ情報・・というように各クラスタ番号におけるチェーン情報が記録されている。ただし、データ領域はクラスタ番号２から開始される。たとえば、クラスタ番号３（１行目の左端から４番目のボックス）のＦＡＴには、クラスタ番号４にチェーンされることが記録されており、クラスタ番号４（１行目の左端から５番目のボックス）のＦＡＴには、クラスタ番号５にチェーンされることが記録されているので、クラスタ番号３→４→５→・・・という順でデータが格納されていることを示している。
【００３３】
そして、ルートディレクトリ領域には、「Movie」、「Career＿A」、「Career＿B」フォルダの属性情報が記録される。属性情報とは、ファイル／フォルダ名、タイムスタンプ、サイズ、ファイルかフォルダを区別するフラグ情報、最初のクラスタ位置等であり、図４では、フォルダ名と最初のクラスタ位置のみを図示している。つまり、「Movie」フォルダは、クラスタ番号２から開始し、「Career＿A」フォルダは、クラスタ番号２００から開始し、「Career＿B」フォルダは、クラスタ番号４００から開始するという情報が記録されている。
【００３４】
クラスタ番号２は、「Movie」フォルダとしてのディレクトリ領域であり、マルチメディアファイル２１０Ａ、マルチメディアファイル２１０Ｂの属性情報が記録されている。つまり、マルチメディアファイル２１０Ａは、クラスタ番号３から開始し、マルチメディアファイル２１０Ｂは、クラスタ番号６０から開始されるという情報が記録されている。そして、ＦＡＴ領域で、この開始クラスタ番号を参照すれば、その後のチェーン情報を得ることが可能である。つまり、マルチメディアファイル２１０Ａを構成するデータは、クラスタ番号３から開始し、順にクラスタ番号４，５・・・のクラスタに格納されることを示している。データ領域には、各クラスタ領域に画像や音声の実データが格納されている。この例では、クラスタ番号３から１５までのクラスタには、マルチメディアファイル２１０Ａのヘッダデータが記録され、クラスタ番号１６から３０までのクラスタにはマルチメディアファイル２１０Ａの音声データが記録されている。なお、音声データの開始位置は、ヘッダデータ内に記録されている。
【００３５】
同様に、マルチメディアファイル２１０Ｂを構成するデータは、クラスタ番号６０から開始し、順にクラスタ番号６１、６２・・・のクラスタに格納されていることを示す情報がＦＡＴ領域に記録されている。そして、クラスタ番号６０から７５までのクラスタには、マルチメディアファイル２１０Ｂのヘッダデータが記録され、クラスタ番号７６から９０までのクラスタには、マルチメディアファイル２１０Ｂの音声データが記録されている。同様に、音声データの開始位置は、ヘッダデータに記録されている。
【００３６】
そして、図のＦＡＴ領域を参照すると、マルチメディアファイル２１０Ａの音声データが記録されている最終のクラスタ３０には、次のクラスタ番号として１００が指定され、マルチメディアファイル２１０Ｂの音声データが記録されている最終のクラスタ９０においても、次のクラスタ番号として１００が指定されている。そして、クラスタ番号１００からクラスタ番号１２４までのクラスタには、共通の動画データ（図３で示したＹ１形式）が格納されている。つまり、マルチメディアファイル２１０Ａ、２１０Ｂは、ファイルの前半部分は、それぞれ異なるクラスタ番号から開始されるデータであって、異なるデータ形式の音声データが対応しており、ファイルの途中からは、同じクラスタ番号に記録された動画データを共用しているのである。
【００３７】
メモリカード記憶部１６は、図５に示すように、フラッシュメモリ２の「root」フォルダの下に「Movie」フォルダを作成し、この「Movie」フォルダの中に、上述したマルチメディアファイル２１０Ａおよび２１０Ｂを格納する。これらは、ファイルの開始クラスタ位置は異なるため、異なる２つのファイルとして認識されるが、上述したように、ファイルの一部は共通化されている。さらに、メモリカード記憶部１６は、キャリアＡおよびキャリアＢによって規定されている図２で示したものと同様のフォルダ構造を作成する。そして、「Mov＿data」フォルダの中に、マルチメディアファイル２１０Ａに対するリンク情報をもつエイリアスファイル２２０Ａを格納し、「Mov」フォルダの下に、マルチメディアファイル２１０Ｂに対するリンク情報をもつエイリアスファイル２２０Ｂを格納するのである。
【００３８】
メモリカード書込部１６により、以上の書込み処理が行われることにより、たとえば、このフラッシュメモリ２がキャリアＡの携帯電話機３Ａに装着された場合に、ユーザは通常の操作を行うことでマルチメディアファイル２１０Ａにアクセスすることが可能である。具体的には、ユーザが携帯電話機３Ａを用い、ファイルを参照する操作を行うと、デフォルトのフォルダが表示される。そして、そのフォルダには、エイリアスファイル２２０Ａが表示されるのである。そして、ユーザは、通常のファイル操作と同様、これらエイリアスファイル２２０Ａを指定した操作を行うことにより、マルチメディアファイル２１０Ａへのアクセスが行われるのである。同様に、キャリアＢ、キャリアＣの携帯電話機を用いた場合にも、ユーザは、通常のファイルアクセス操作を行うことにより、マルチメディアファイルにアクセスすることが可能である。
【００３９】
このように、本実施の形態によれば、ファイル記録装置１によって、各携帯電話キャリアに対応したフォルダ構造が書き込まれ、このフォルダ内に、オリジナルファイルへのエイリアスファイルが記録されるので、いずれのキャリアの携帯電話機を用いた場合にも、通常と変わらない操作で、各種ファイルにアクセス可能である。また、２つのファイルを構成するデータに共通部分が存在する場合には、ＦＡＴのチェーン情報を操作することにより、データを共用させることが可能である。これにより、ファイル容量も小さくすることが可能である。
【００４０】
なお、上記の実施の形態では、ファイル記憶部１５に２つのマルチメディアファイル２００Ａ、２００Ｂが記録され、メモリカード書込部１６が、この２つのファイル２００Ａ、２００Ｂを変形して、マルチメディアファイル２１０Ａ、２１０Ｂとしてフラッシュメモリ２に書き込む場合を説明したが、このような処理は一例である。他の処理方法として、画像・音声データ記憶部１３に格納された画像データ、音声データを用いて、直接マルチメディアファイル２１０Ａ、２１０Ｂをフラッシュメモリ２内に書き込むようにしてもよいし、その他の方法であってもよい。
【００４１】
また、この実施の形態では、マルチメディアファイルに含まれる動画データが共通のデータ形式である場合に、動画データの格納クラスタ位置を共通化させるようにしたが、音声データが共通のデータ形式である場合には、音声データの格納クラスタ位置を共通化させるようにすればよい。ただし、その場合には、動画データの後に音声データが続くファイル形式を用いる必要がある。つまり、キャリアＡとキャリアＢのマルチメディアファイルフォーマットについて、音声データのみ異なるのであれば、音声データをマルチメディアファイルの前半に配置し、ヘッダデータの管理テーブルに音声データの開始位置を書き込めばよい。逆に、動画データのみ異なるのであれば、動画データをマルチメディアファイルの前半に配置し、同様にヘッダデータに動画データの開始位置を書き込めばよい。このような方法をとることで、キャリア間で音声・動画いずれかのフォーマットが異なる場合にも対応することが可能である。
【００４２】
また、この実施の形態においては、マルチメディアファイルに含まれる共通のデータ部の格納クラスタ位置を共通化させるようにしたが、この発明は、マルチメディアファイルに限らず、共通のデータ部を含むあらゆるファイルに適用可能である。
【図面の簡単な説明】
【００４３】
【図１】ファイル記録装置のブロック図である。
【図２】作成するフォルダの構造と格納されるファイルの種類を示す図である。
【図３】キャリア間で異なるマルチメディアファイルのファイル形式を示す図である。
【図４】データの共通部を兼用するファイル構造を示す図である。
【図５】作成するフォルダの構造と格納されるファイルの種類を示す図である。
【符号の説明】
【００４４】
１    ファイル記録装置
２    フラッシュメモリ
３Ａ  キャリアＡの携帯電話機
３Ｂ  キャリアＢの携帯電話機
３Ｃ  キャリアＣの携帯電話機
１４  ファイル作成部
１５  マルチメディアファイル記憶部
【図１】
2007018463.tif 000003
【図２】
2007018463.tif 000004
【図３】
2007018463.tif 000005
【図４】
2007018463.tif 000006
【図５】
2007018463.tif 000007